(57)【要約】【課題】蓄電モジュール同士の誤組み付けを防止することができる蓄電装置を提供する。【解決手段】蓄電装置１は、積層された複数の蓄電モジュール４と、隣り合う蓄電モジュール４，４間に介在し、隣り合う蓄電モジュール４，４同士を電気的に接続する導電板５と、を備える。蓄電モジュール４は、複数のバイポーラ電極１４が積層された電極積層体１１と、電極積層体１１の側面１１ａに設けられて枠状を呈し、隣り合うバイポーラ電極１４，１４間を封止する封止体１２と、を有する。隣り合う一方の蓄電モジュール４の封止体１２には、隣り合う他方の蓄電モジュール４の封止体１２側に突出した突出部２４が設けられており、他方の蓄電モジュール４の封止体１２には、突出部２４に対応した凹部２５が設けられている。突出部２４は、凹部２５内に位置している。【選択図】図３
2019204666.tif 000002
【特許請求の範囲】
【請求項１】
積層された複数の蓄電モジュールと、
隣り合う前記蓄電モジュール間に介在し、隣り合う前記蓄電モジュール同士を電気的に接続する導電部材と、を備え、
前記蓄電モジュールは、複数のバイポーラ電極が積層された電極積層体と、前記電極積層体の側面に設けられて枠状を呈し、隣り合う前記バイポーラ電極間を封止する封止体と、を有し、
隣り合う一方の前記蓄電モジュールの前記封止体には、隣り合う他方の前記蓄電モジュールの前記封止体側に突出した突出部が設けられており、前記他方の前記蓄電モジュールの前記封止体には、前記突出部に対応した凹部が設けられており、
前記突出部は、前記凹部内に位置している、蓄電装置。
【請求項２】
前記蓄電モジュールの積層方向に直交する少なくとも１つの方向において、前記突出部と前記凹部の内面との間のクリアランスは、隣り合う前記蓄電モジュール間の位置ずれの許容量よりも小さい、請求項１に記載の蓄電装置。
【請求項３】
前記突出部及び前記凹部は、複数設けられており、
前記複数の突出部は、互いに形状が異なる少なくとも一対の前記突出部を含んでいる、請求項１又は２に記載の蓄電装置。
【請求項４】
前記導電部材には、前記蓄電モジュールの積層方向に直交する所定方向に沿って延在する流路が設けられており、
前記突出部は、前記封止体において、前記蓄電モジュールの積層方向及び所定方向の双方に直交する方向に沿って延在する辺部以外の部分に設けられている、請求項１〜３のいずれか一項に記載の蓄電装置。
【請求項５】
前記封止体は、矩形枠状を呈しており、
前記突出部は、前記蓄電モジュールの積層方向から見た場合に、前記封止体の四隅のそれぞれに設けられている、請求項１〜４のいずれか一項に記載の蓄電装置。
【請求項６】
前記封止体は、前記複数のバイポーラ電極の縁部にそれぞれ設けられた複数の一次封止体と、前記複数の一次封止体を外側から包囲する二次封止体と、を有し、
前記突出部及び前記凹部は、前記二次封止体に設けられている、請求項１〜５のいずれか一項に記載の蓄電装置。
【請求項７】
前記封止体は、樹脂の射出成形体である、請求項１〜６のいずれか一項に記載の蓄電装置。
【発明の詳細な説明】
【技術分野】
【０００１】
本発明は、蓄電装置に関する。
【背景技術】
【０００２】
従来、電極板の一方面上に正極が設けられ、他方面上に負極が設けられたバイポーラ電極を備えた、いわゆるバイポーラ型の蓄電モジュールが知られている（特許文献１参照）。このような蓄電モジュールは、複数のバイポーラ電極が積層された電極積層体を備えている。電極積層体の側面には、隣り合うバイポーラ電極間を封止する封止体が設けられている。
【先行技術文献】
【特許文献】
【０００３】
【特許文献１】特開２０１１−２０４３８６号公報
【発明の概要】
【発明が解決しようとする課題】
【０００４】
上述したような蓄電モジュールを互いの間に導電部材を介在させつつ複数積層することにより、蓄電装置を構成することが考えられる。この場合、複数の蓄電モジュールが電気的に直列に接続されるように、各蓄電モジュールを正しい向きで積層していく必要があるが、かかる工程においては、蓄電モジュールを誤った向きで組み付けてしまう誤組み付けが生じる可能性がある。
【０００５】
そこで、本発明は、蓄電モジュール同士の誤組み付けを防止することができる蓄電装置を提供することを目的とする。
【課題を解決するための手段】
【０００６】
本発明の一側面に係る蓄電装置は、積層された複数の蓄電モジュールと、隣り合う蓄電モジュール間に介在し、隣り合う蓄電モジュール同士を電気的に接続する導電部材と、を備え、蓄電モジュールは、複数のバイポーラ電極が積層された電極積層体と、電極積層体の側面に設けられて枠状を呈し、隣り合うバイポーラ電極間を封止する封止体と、を有し、隣り合う一方の蓄電モジュールの封止体には、隣り合う他方の蓄電モジュールの封止体側に突出した突出部が設けられており、他方の蓄電モジュールの封止体には、突出部に対応した凹部が設けられており、突出部は、凹部内に位置している。
【０００７】
この蓄電装置では、隣り合う一方の蓄電モジュールの封止体には、隣り合う他方の蓄電モジュールの封止体側に突出した突出部が設けられており、当該他方の蓄電モジュールの封止体には、突出部に対応した凹部が設けられている。そして、突出部が凹部内に位置している。これにより、例えば、一の蓄電モジュールを別の蓄電モジュールに対して反対向きに積層しようとすると突出部同士が干渉するため、蓄電モジュール同士を誤った向きで組み付けてしまうことを防止することができる。よって、この蓄電装置によれば、蓄電モジュール同士の誤組み付けを防止することができる。
【０００８】
蓄電モジュールの積層方向に直交する少なくとも１つの方向において、突出部と凹部の内面との間のクリアランスは、隣り合う前記蓄電モジュール間の位置ずれの許容量よりも小さくてもよい。この場合、突出部を凹部内に配置することで、隣り合う蓄電モジュール同士を積層方向に直交する方向において位置決めすることができる。
【０００９】
突出部及び凹部は、複数設けられており、複数の突出部は、互いに形状が異なる少なくとも一対の突出部を含んでいてもよい。この場合、積層方向に沿った軸周りの角度が誤ったままで蓄電モジュール同士を組み付けてしまうことを防止することができる。
【００１０】
導電部材には、蓄電モジュールの積層方向に直交する所定方向に沿って延在する流路が設けられており、突出部は、封止体において、積層方向及び所定方向の双方に直交する方向に沿って延在する辺部以外の部分に設けられていてもよい。この場合、例えば流路内に冷媒を流通させる場合に、冷媒の流通が突出部によって妨げられるのを抑制することができ、冷媒を効果的に流通させることができる。
【００１１】
封止体は、矩形枠状を呈しており、突出部は、蓄電モジュールの積層方向から見た場合に、封止体の四隅のそれぞれに設けられていてもよい。この場合、例えば封止体に安全弁等の部品が取り付けられる場合に、突出部が当該部品と干渉するのを抑制することができ、設計自由度を確保することができる。
【００１２】
封止体は、複数のバイポーラ電極の縁部にそれぞれ設けられた複数の一次封止体と、複数の一次封止体を外側から包囲する二次封止体と、を有し、突出部及び凹部は、二次封止体に設けられていてもよい。この場合、隣り合うバイポーラ電極間を封止体によって確実に封止することができる。
【００１３】
封止体は、樹脂の射出成形体であってもよい。この場合、封止体が樹脂の射出成形体である構成において、蓄電モジュール同士の誤組み付けを防止することができる。
【発明の効果】
【００１４】
本発明によれば、蓄電モジュール同士の誤組み付けを防止することができる。
【図面の簡単な説明】
【００１５】
【図１】一実施形態に係る蓄電装置を示す断面図である。
【図２】図１に示される蓄電モジュールを示す断面図である。
【図３】蓄電モジュールを示す斜視図である。
【図４】蓄電モジュールの一部を拡大して示す斜視図である。
【図５】複数の蓄電モジュールが積層された状態を示す斜視図である。
【発明を実施するための形態】
【００１６】
以下、本発明の一実施形態について、図面を参照しつつ詳細に説明する。なお、以下の説明において、同一又は相当要素には同一符号を用い、重複する説明を省略する。
［蓄電装置の構成］
【００１７】
図１に示される蓄電装置１は、例えば、フォークリフト、ハイブリッド自動車、電気自動車等の各種車両のバッテリとして用いられる。蓄電装置１は、蓄電モジュール積層体２と、拘束部材３と、を備えている。
【００１８】
蓄電モジュール積層体２は、複数（本実施形態では３体）の蓄電モジュール４と、複数（本実施形態では４枚）の導電板（導電部材）５と、を備えている。複数の蓄電モジュール４は、所定の積層方向Ｄ１に沿って積層されている。蓄電モジュール４は、後述するバイポーラ電極１４を備えたバイポーラ電池である。蓄電モジュール４は、積層方向Ｄ１から見た場合に、例えば矩形状を呈している。蓄電モジュール４は、例えば、ニッケル水素二次電池、リチウムイオン二次電池等の二次電池、又は電気二重層キャパシタである。以下の説明では、蓄電モジュール４がニッケル水素二次電池である場合を例示する。
【００１９】
複数の導電板５は、積層方向Ｄ１に隣り合う蓄電モジュール４，４間に配置された導電板５を含んでいる。これらの導電板５は、積層方向Ｄ１に隣り合う蓄電モジュール４，４間に介在し、積層方向Ｄ１に隣り合う蓄電モジュール４，４同士を電気的に接続している。これにより、複数の蓄電モジュール４は、電気的に直列に接続されている。
【００２０】
複数の導電板５は、積層方向Ｄ１における複数の蓄電モジュール４の両側に配置された導電板５を更に含んでいる。複数の蓄電モジュール４に対して積層方向Ｄ１における一方側に配置された導電板５には、正極端子６が電気的に接続されている。複数の蓄電モジュール４に対して積層方向Ｄ１における他方側に配置された導電板５には、負極端子７が電気的に接続されている。正極端子６及び負極端子７は、例えば、導電板５の縁部から積層方向Ｄ１に直交する方向に引き出されている。正極端子６及び負極端子７により、蓄電装置１の充放電が実施される。
【００２１】
各導電板５の内部には、空気等の冷媒を流通させる複数の流路５ａが設けられている。各流路５ａは、例えば、積層方向Ｄ１、並びに正極端子６及び負極端子７が引き出される引出方向Ｄ２に直交する流通方向（所定方向）Ｄ３に沿って延在している。換言すれば、各流路５ａは、導電板５を流通方向Ｄ３に沿って貫通している。これらの流路５ａ内に冷媒を流通させることで、導電板５は、蓄電モジュール４，４同士を電気的に接続する接続部材としての機能のほか、蓄電モジュール４で発生した熱を放熱する放熱部材としての機能を併せ持つ。導電板５は、例えば、積層方向Ｄ１から見た場合に、蓄電モジュール４の外縁よりも内側に配置されている。
【００２２】
拘束部材３は、蓄電モジュール積層体２を積層方向Ｄ１に挟み、蓄電モジュール積層体２に拘束加重を付加する一対のエンドプレート８Ａ，８Ｂと、エンドプレート８Ａ，８Ｂ同士を締結する締結ボルトＢ及びナットＮと、を備えている。各エンドプレート８Ａ，８Ｂは、例えば金属により矩形状に形成されている。積層方向Ｄ１から見た場合に、各エンドプレート８Ａ，８Ｂの外縁は、蓄電モジュール４の外縁よりも外側に位置している。
【００２３】
各エンドプレート８Ａ，８Ｂには、積層方向Ｄ１から見た場合に蓄電モジュール積層体２よりも外側に位置する部分に、挿通孔８ａが設けられている。締結ボルトＢは、積層方向Ｄ１における他方側のエンドプレート８Ｂの挿通孔８ａから一方側のエンドプレート８Ａの挿通孔８ａに向かって通されている。エンドプレート８Ａの挿通孔８ａから突出した締結ボルトＢの先端部分には、ナットＮが螺合されている。これにより、蓄電モジュール４及び導電板５がエンドプレート８Ａ，８Ｂによって挟持されて蓄電モジュール積層体２としてユニット化されると共に、蓄電モジュール積層体２に対して積層方向Ｄ１に拘束荷重が付加されている。
【００２４】
蓄電装置１は、エンドプレート８Ａ，８Ｂと、エンドプレート８Ａ，８Ｂと隣り合う導電板５との間にそれぞれ介在する一対の絶縁部材９を更に備えている。一対の絶縁部材９は、エンドプレート８Ａ，８Ｂと導電板５との間をそれぞれ電気的に絶縁している。各絶縁部材９は、例えば、電気絶縁性を有する樹脂によりシート状に形成されている。一対の絶縁部材９は、例えばエンドプレート８Ａ，８Ｂの内面（蓄電モジュール積層体２側の面）上にそれぞれ設けられている。
［蓄電モジュールの構成］
【００２５】
図２に示されるように、蓄電モジュール４は、電極積層体１１と、電極積層体１１を封止する樹脂製の封止体１２と、を備えている。電極積層体１１は、互いの間にセパレータ１３を介在させつつ複数のバイポーラ電極１４が積層されることによって構成されている。本実施形態では、電極積層体１１の積層方向は、蓄電モジュール積層体２の積層方向Ｄ１と一致している。電極積層体１１は、バイポーラ電極１４の積層によって形成された側面１１ａを有している。
【００２６】
バイポーラ電極１４は、電極板１５と、電極板１５の一方面１５ａ上に設けられた負極１６と、電極板１５の他方面１５ｂ上に設けられた正極１７と、を含んでいる。負極１６は、負極活物質の塗工により形成された負極活物質層である。正極１７は、正極活物質の塗工により形成された正極活物質層である。電極積層体１１において、一のバイポーラ電極１４の負極１６は、積層方向Ｄ１に隣り合う一方のバイポーラ電極１４の正極１７とセパレータ１３を介して対向している。当該一のバイポーラ電極１４の正極１７は、積層方向Ｄ１に隣り合う他方のバイポーラ電極１４の負極１６とセパレータ１３を介して対向している。
【００２７】
電極積層体１１において、積層方向Ｄ１における一端には、正極終端電極１８が配置されている。積層方向Ｄ１における他端には、負極終端電極１９が配置されている。正極終端電極１８は、電極板１５と、電極板１５の他方面１５ｂに設けられた正極１７と、を含んでいる。正極終端電極１８の正極１７は、積層方向Ｄ１における一端に配置されたバイポーラ電極１４の負極１６とセパレータ１３を介して対向している。正極終端電極１８の電極板１５の一方面１５ａには、蓄電モジュール４に隣接する一方の導電板５が接触している。
【００２８】
負極終端電極１９は、電極板１５と、電極板１５の一方面１５ａに設けられた負極１６と、を含んでいる。負極終端電極１９の負極１６は、積層方向Ｄ１における他端に配置されたバイポーラ電極１４の正極１７とセパレータ１３を介して対向している。負極終端電極１９の電極板１５の他方面１５ｂには、蓄電モジュール４に隣接する他方の導電板５が接触している。
【００２９】
電極板１５は、例えば、ニッケルからなる金属箔、又はニッケルメッキ鋼板からなり、矩形状に形成されている。電極板１５における縁部１５ｃ上の領域は、正極活物質及び負極活物質が塗工されない未塗工領域である。負極１６を構成する負極活物質としては、例えば水素吸蔵合金が挙げられる。正極１７を構成する正極活物質としては、例えば水酸化ニッケルが挙げられる。
【００３０】
セパレータ１３は、例えばシート状に形成されている。セパレータ１３としては、ポリエチレン（ＰＥ）、ポリプロピレン（ＰＰ）等のポリオレフィン系樹脂からなる多孔質フィルム、ポリプロピレン、メチルセルロース等からなる織布又は不織布等が例示される。セパレータ１３は、フッ化ビニリデン樹脂化合物で補強されたものであってもよい。なお、セパレータ１３は、シート状に限られず、袋状に形成されてもよい。
［封止体の詳細構成］
【００３１】
図２及び図３に示されるように、封止体１２は、電極積層体１１の側面１１ａに設けられ、矩形枠状を呈している。封止体１２を構成する樹脂材料としては、例えばポリプロピレン（ＰＰ）、ポリフェニレンサルファイド（ＰＰＳ）、又は変性ポリフェニレンエーテル（変性ＰＰＥ）等が挙げられる。
【００３２】
封止体１２は、電極板１５の縁部１５ｃ（バイポーラ電極１４の縁部）にそれぞれ設けられた複数の一次封止体２１と、それらの一次封止体２１の全体を外側から包囲する二次封止体２２と、を有している。一次封止体２１は、例えば、樹脂の射出成形によって矩形枠状に形成され、超音波又は熱を用いた溶着によって縁部１５ｃに対して強固に結合している。一次封止体２１は、例えば、縁部１５ｃから積層方向Ｄ１と直交する方向に張り出しており、当該張出部分において二次封止体２２に埋設されている。
【００３３】
二次封止体２２は、例えば、樹脂の射出成形によって矩形枠状に形成され、射出成型時の熱によって一次封止体２１の外表面に溶着されている。二次封止体２２は、積層方向Ｄ１に隣り合うバイポーラ電極１４，１４間を封止している。これにより、積層方向Ｄ１に隣り合うバイポーラ電極１４，１４間には、内部空間Ｖが形成されている。内部空間Ｖには、例えば水酸化カリウム水溶液等のアルカリ溶液からなる電解液Ｅが収容されている。
【００３４】
二次封止体２２において、上述した流通方向Ｄ３に沿って延在する一対の辺部２２ａの一方には、安全弁（図示省略）を取り付けるための複数（本実施形態では４個）の取付部２３が設けられている。各取付部２３は、例えば、流通方向Ｄ３に直交する引出方向Ｄ２に沿って辺部２２ａを貫通する複数の開口によって構成されている。
【００３５】
図３及び図４に示されるように、二次封止体２２は、積層方向Ｄ１において互いに対向する第１表面２２ｂ及び第２表面２２ｃ（図２参照）を有している。第１表面２２ｂは、積層方向Ｄ１における他方側に隣り合う蓄電モジュール４の二次封止体２２、又は積層方向Ｄ１における他方側のエンドプレート８Ｂと対向する。第２表面２２ｃは、積層方向Ｄ１における一方側に隣り合う蓄電モジュール４の二次封止体２２、又は積層方向Ｄ１における一方側のエンドプレート８Ａと対向する。
【００３６】
第１表面２２ｂには、第１表面２２ｂから積層方向Ｄ１に沿って突出した複数の突出部２４が設けられている。より詳細には、第１表面２２ｂの四隅のそれぞれに突出部２４が設けられている。これら４つの突出部２４のそれぞれは、第１表面２２ｂの外縁に沿って延在しており、積層方向Ｄ１から見た場合に例えばＣ字状を呈している。本実施形態では、４つの突出部２４は、互いに同一の形状を有している。突出部２４の高さＬ１（積層方向Ｄ１における長さ）は、例えば４〜５ｍｍ程度である。突出部２４の厚さＬ２（積層方向Ｄ１から見た場合に、突出部２４の延在方向に直交する方向における長さ）は、例えば１〜２ｍｍ程度である。
【００３７】
第２表面２２ｃには、複数の突出部２４に対応した複数の凹部２５が設けられている。より詳細には、第２表面２２ｃの四隅のそれぞれに凹部２５が設けられている。これら４つの凹部２５のそれぞれは、第２表面２２ｃの外縁に沿って延在しており、積層方向Ｄ１に直交する断面において例えばＣ字状を呈している。本実施形態では、４つの凹部２５は、互いに同一の形状を有している。凹部２５の深さＬ３（積層方向Ｄ１における長さ）は、例えば５〜６ｍｍ程度である。凹部２５の厚さ（積層方向Ｄ１から見た場合に、凹部２５の延在方向に直交する方向における長さ）Ｌ４は、例えば１．５〜１．７ｍｍ程度である。凹部２５の深さＬ３は突出部２４の高さＬ１よりも大きくてもよい。凹部２５の厚さＬ４は突出部２４の厚さＬ２よりも大きくてもよい。
【００３８】
図５に示されるように、蓄電装置１の製造工程は、複数の蓄電モジュール４を互いの間に導電板５を介在させつつ積層方向Ｄ１に沿って積層し、蓄電モジュール積層体２を得る積層工程を含む。この積層工程において、一の蓄電モジュール４に対して別の蓄電モジュール４を積層する際には、一の蓄電モジュール４の突出部２４が別の蓄電モジュール４の凹部２５に挿入される。その結果、得られた蓄電モジュール積層体２においては、隣り合う一方の蓄電モジュール４の突出部２４が隣り合う他方の蓄電モジュール４の封止体１２側に突出し、当該他方の蓄電モジュール４の凹部２５内に位置している。本実施形態では、突出部２４の先端側の一部が凹部２５内に位置して（配置されて）いる。
【００３９】
蓄電モジュール積層体２においては、上述したように凹部２５の深さＬ３が突出部２４の高さＬ１よりも大きいため、突出部２４の先端面が凹部２５の底面から離間している。また、凹部２５の厚さＬ４が突出部２４の厚さＬ２よりも大きいため、積層方向Ｄ１に直交する方向において、突出部２４が凹部２５の内面２５ａから離間している。
【００４０】
積層方向Ｄ１、及び突出部２４の延在方向の双方に直交する方向において、突出部２４と内面２５ａとの間のクリアランス（隙間）は、積層方向Ｄ１に隣り合う蓄電モジュール４，４間の位置ずれの許容量よりも小さく設定されている。当該許容量は、例えば蓄電装置１の仕様等に基づいて決定される。例えば、当該クリアランスは、導電板５と一次封止体２１との間の寸法差よりも小さく設定されてよい。或いは、導電板５が一次封止体２１上に配置され、導電板５と二次封止体２２とが互いに向かい合う構成が採用された場合には、当該クリアランスは、導電板５と二次封止体２２との間の寸法差よりも小さく設定されてよい。つまり、当該許容量は、導電板５と、封止体１２における導電板５と向かい合う部分との間の寸法差よりも小さく設定されてよい。なお、図５において、一段目及び三段目の蓄電モジュール４の取付部２３は、流通方向Ｄ３に沿って延在する一対の辺部２２ａの他方に設けられている。
［作用効果］
【００４１】
蓄電装置１では、隣り合う一方の蓄電モジュール４の封止体１２には、隣り合う他方の蓄電モジュール４の封止体１２側に突出した突出部２４が設けられており、当該他方の蓄電モジュール４の封止体１２には、突出部２４に対応した凹部２５が設けられている。そして、突出部２４が凹部２５内に位置している。これにより、例えば、一の蓄電モジュール４を別の蓄電モジュール４に対して反対向きに積層しようとすると突出部２４同士が干渉するため、蓄電モジュール４，４同士を誤った向きで組み付けてしまうことを防止することができる。換言すれば、突出部２４が凹部２５内に配置されるように、一の蓄電モジュール４を別の蓄電モジュール４に対して正しい向きで積層した場合のみに、蓄電モジュール４，４同士を組み付けることができる。よって、蓄電装置１によれば、蓄電モジュール４同士の誤組み付けを防止することができる。
【００４２】
蓄電装置１では、積層方向Ｄ１、及び突出部２４の延在方向の双方に直交する方向において、突出部２４と凹部２５の内面２５ａとの間のクリアランスが、隣り合う蓄電モジュール４，４間の位置ずれの許容量よりも小さい。これにより、突出部２４を凹部２５内に配置することで、隣り合う蓄電モジュール４，４同士を位置決めすることができる。
【００４３】
蓄電装置１では、二次封止体２２において、積層方向Ｄ１及び流通方向Ｄ３の双方に直交する引出方向Ｄ２に沿って延在する辺部２２ａ以外の部分に、突出部２４が設けられている。より詳細には、突出部２４が第１表面２２ｂの隅部に設けられている。これにより、例えば流路５ａ内に流通方向Ｄ３に沿って冷媒を流通させる場合に、冷媒の流通が突出部２４によって妨げられるのを抑制することができ、冷媒を効果的に流通させることができる。
【００４４】
蓄電装置１では、突出部２４が、積層方向Ｄ１から見た場合に、二次封止体２２の四隅（第１表面２２ｂの四隅）のそれぞれに設けられている。これにより、例えば封止体１２に安全弁等の部品が取り付けられる場合に、突出部２４が当該部品と干渉するのを抑制することができ、設計自由度を確保することができる。
【００４５】
蓄電装置１では、封止体１２が、複数のバイポーラ電極１４の縁部にそれぞれ設けられた複数の一次封止体２１と、複数の一次封止体２１を外側から包囲する二次封止体２２と、を有し、突出部２４及び凹部２５が、二次封止体２２に設けられている。これにより、隣り合うバイポーラ電極１４，１４間を封止体１２によって確実に封止することができる。
【００４６】
蓄電装置１では、封止体１２が樹脂の射出成形体である。これにより、封止体１２が樹脂の射出成形体である構成において、蓄電モジュール４，４同士の誤組み付けを防止することができる。
【００４７】
蓄電装置１では、封止体１２に凹部２５が形成されている。これにより、凹部２５の形成部分において、封止体１２の厚さ（積層方向Ｄ１から見た場合に、凹部２５の延在方向に直交する方向における長さ）が薄くなっている。その結果、封止体１２（二次封止体２２）の成形時にボイドやひけが生じるのを抑制することができる。
【００４８】
以上、本発明の一実施形態について説明したが、本発明は、上記実施形態に限られない。複数の突出部２４は、互いに形状が異なる少なくとも一対の突出部２４を含んでいてもよい。具体例として、上記実施形態において、引出方向Ｄ２における一方側に設けられた２つの突出部２４の形状が、引出方向Ｄ２における他方側に設けられた２つの突出部２４の形状と異なっていてもよい。この場合、突出部２４の形状の変更に応じて、突出部２４が挿入される凹部２５の形状も変更されてよい。このような変形例によっても、上記実施形態と同様に、蓄電モジュール４同士の誤組み付けを防止することができる。更に、積層方向Ｄ１に沿った軸周りの角度が誤ったままで蓄電モジュール４，４同士を組み付けてしまうことを防止することができる。上述した具体例では、引出方向Ｄ２における向きが誤ったままで蓄電モジュール４，４同士を組み付けてしまうことを防止することができる。
【００４９】
突出部２４及び凹部２５の形状及び配置は、上記実施形態の形状及び配置に限られない。突出部２４及び凹部２５は、それぞれ１つずつ設けられてもよい。突出部２４が断面円形又は矩形のピン状に形成され、凹部２５が断面円形又は矩形の穴であってもよい。隣り合う蓄電モジュール４，４同士を突出部２４及び凹部２５を用いて位置決めしない場合、突出部２４と凹部２５の内面２５ａとの間のクリアランスは、隣り合う蓄電モジュール４，４間の位置ずれの許容量よりも小さくなくてもよい。突出部２４は、二次封止体２２において、引出方向Ｄ２に沿って延在する辺部２２ａに設けられてもよいし、或いは、流通方向Ｄ３に沿って延在する辺部に設けられてもよい。導電板５は任意の形状であってよく、導電板５には流路５ａが設けられていなくてもよい。
【符号の説明】
【００５０】
１…蓄電装置、４…蓄電モジュール、５…導電板（導電部材）、５ａ…流路、８Ａ，８Ｂ…エンドプレート、１１…電極積層体、１１ａ…側面、１２…封止体、１４…バイポーラ電極、２１…一次封止体、２２…二次封止体、２２ａ…辺部、２２ｂ…第１表面、２４…突出部、２５…凹部、２５ａ…内面、Ｄ１…積層方向、Ｄ２…引出方向、Ｄ３…流通方向（所定方向）。
【図１】
2019204666.tif 000003
【図２】
2019204666.tif 000004
【図３】
2019204666.tif 000005
【図４】
2019204666.tif 000006
【図５】
2019204666.tif 000007